(57)【要約】【課題】遊技機本体の内部に収納された部品の着脱性を向上できる遊技機を提供する。【解決手段】メイン基板ケース４０は、係合フックの先端部が、差込穴の左側に配置されたロック解除状態では、ベース部材への着脱が許容され、ロック解除状態から、右方向にスライドされ、係合フックの先端部が差込穴に差し込まれてベース部材と係合されたロック状態では、ベース部材への着脱が規制される。ロック状態では、メイン基板ケース４０に設けられた被支持部７０の下面が、サブ基板ケース４２に設けられた支持部７２の上面に当接する。これにより、メイン基板ケース４０が下方から支持されて、脱落が防止される。【選択図】図８
2020025721.tif 000002
【特許請求の範囲】
【請求項１】
遊技機本体に装着されて着脱が規制されたロック状態から、前記規制が解除されたロック解除状態を経由して前記遊技機本体から取り外される着脱部材と、
前記着脱部材に設けられた被支持部と、
前記ロック解除状態において前記被支持部を支持することにより前記着脱部材の脱落を阻止する支持部と、
を備えたことを特徴とする遊技機。
【発明の詳細な説明】
【技術分野】
【０００１】
本発明は、パチンコ店などの遊技場に設置されるスロットマシンなどの遊技機に関するものである。
【背景技術】
【０００２】
パチンコ店などの遊技場に設置されるスロットマシンなどの遊技機が広く知られている。遊技機では、前面扉と収納箱とからなる遊技機本体の内部に各種部品が収納されている。これら遊技機本体の内部に収納される部品は、例えば、遊技機本体の内面にネジ止めするなどして固定されている（下記特許文献１参照）。
【先行技術文献】
【特許文献】
【０００３】
【特許文献１】特開２０１１−０３６３０４号公報
【発明の概要】
【発明が解決しようとする課題】
【０００４】
しかしながら、従来の遊技機では、遊技機本体の内部に収納された部品の着脱性が悪く、メンテナンスなどの際に手間がかかってしまうといった問題があった。
【０００５】
本発明は、上記課題を鑑みてなされたものであり、遊技機本体の内部に収納された部品の着脱性を向上できる遊技機を提供することを目的としている。
【課題を解決するための手段】
【０００６】
上記目的を達成するために、本発明の遊技機は、
遊技機本体に装着されて着脱が規制されたロック状態から、前記規制が解除されたロック解除状態を経由して前記遊技機本体から取り外される着脱部材と、
前記着脱部材に設けられた被支持部と、
前記ロック解除状態において前記被支持部を支持することにより前記着脱部材の脱落を阻止する支持部と、
を備えたことを特徴としている。
【０００７】
前記ロック解除状態において、前記支持部は前記被支持部を下方から支持するものでもよい。
【０００８】
なお、支持部は、着脱部材とは別の部材（着脱部材以外の部材）であれば任意の部材に設けることができる。着脱部材とは別の部材としては、遊技機本体や遊技機本体に搭載される各種部材が挙げられる。
【発明の効果】
【０００９】
本発明では、遊技機本体から着脱部材を取り外すためにロック解除状態へと移行させても被支持部が支持部により支持されることで着脱部材が脱落しないようにしたので、着脱部材の着脱を行う作業者が自身で着脱部材を支持する場合と比較して、着脱が容易である。
【図面の簡単な説明】
【００１０】
【図１】スロットマシンの外観図である。
【図２】収納箱の内部に各種の部品が収納されている様子を示す説明図である。
【図３】ロック状態を示す説明図である。
【図４】ロック解除状態を示す説明図である。
【図５】メイン基板ケースとベース部材とを背面側から観察した状態を示す説明図であり、ロック状態を示している。
【図６】メイン基板ケースとベース部材とを背面側から観察した状態を示す説明図であり、ロック解除状態を示している。
【図７】図３の指標Ｐ１で囲んだ範囲を拡大した拡大図である。
【図８】図４の指標Ｐ２で囲んだ範囲を拡大した拡大図である。
【図９】被支持部が支持部によって下方から支持されている様子を示す説明図である。
【図１０】被支持部が支持部によって下方から支持されている様子を示す説明図である。
【図１１】被支持部が支持部によって下方から支持されている様子を示す説明図である。
【図１２】支持部によりメイン基板ケースの脱落が防止される様子を示す説明図である。
【発明を実施するための形態】
【００１１】
図１に示すように、スロットマシン（遊技機）１０は、収納箱１１と、前面扉１２とを備え、これらから遊技機本体が構成されている。収納箱１１には、複数（例えば、３つ）のリールがユニット化されたリールユニット（図示せず）や、メダルの払い出しを行うホッパ装置１４（図２、図１０参照）など各種の部品が収納されている。前面扉１２は、上扉１２ａと下扉１２ｂとに分割されており、これら上扉１２ａ及び下扉１２ｂはそれぞれ収納箱１１に軸着され、収納箱１１の前面側に設けられた開口部を開口させる開き位置と開口部を閉じる閉じ位置との間で開閉自在に支持されている。
【００１２】
なお、以下では、スロットマシン１０の上面側を「上」、下面側を「下」、スロットマシン１０のうち、遊技者（スロットマシン１０で遊技する遊技者）側を「前」、スロットマシン１０のうち遊技者とは反対側を「後」、スロットマシン１０に向かって左側（遊技者の左手側）を「左」、スロロットマシン１０に向かって右側（遊技者の右手側）を「右」として説明を行う。
【００１３】
上扉１２ａには、その前面に、各種画像を表示する液晶ディスプレイ１５、及び、リールを視認させるための透明窓１６が設けられている。リールの外周面には複数種類の図柄が配列されており、リールが停止した状態では、透明窓１６を通して１つのリールにつき３個の図柄が表示される。
【００１４】
下扉１２ｂには、メダルを投入するメダル投入口２２、クレジットされたメダルをベットする際に操作されるベットボタン２３、遊技を開始する際に操作されるスタートレバー２４、回転しているリールを停止させるためのストップボタン２６ａ〜２６ｃ、ホッパ装置から払い出されたメダルを受けるメダル受け皿２７、クレジットされたメダルを清算するための清算ボタン２８が設けられている。
【００１５】
また、スロットマシン１０には、下扉１２ｂにも液晶ディスプレイ２９が設けられている。この液晶ディスプレイ２９は、液晶ディスプレイ１５と同様に各種画像を表示可能な他、画面全体を押し込むように操作することが可能となっており、表示手段としてだけでなく操作手段としても機能する。
【００１６】
スロットマシン１０では、メダル投入口２２にメダルを投入、または、ベットボタン２３操作することによりメダルがベットされるとスタートレバー２４が有効化され、有効化されたスタートレバー２４を操作すると遊技が開始される。遊技が開始されると、内部抽選が実行される。内部抽選では、少なくとも１つの役またはハズレが割り当てられた複数の当選エリアのいずれかが決定され、決定された当選エリアに割り当てられた役が当選（当選役）となる。
【００１７】
また、遊技が開始されると、リールが回転を開始する。リールの回転速度が一定速度に到達し、この状態で継続して回転する状態（定常回転）となるとストップボタン２６ａ〜２６ｃの操作が有効化され、有効化されたストップボタン２６ａ〜２６ｃを操作すると操作されたストップボタンに対応するリールを停止させることができる。そして、全てのリールが停止したときに、当選役に対応する図柄組合せが表示されると、この当選役が入賞となり、入賞した当選役に対応する処理（入賞処理）が実行される。
【００１８】
図２に示すように、収納箱１１の内部には、前述したホッパ装置１４の他、ホッパ装置１４から溢れたメダルを収納するためのオーバーフロータンク３０、スロットマシン１０の各部に電源を供給するための電源回路が収められた電源ＢＯＸ３２が収納されている。
【００１９】
また、収納箱１１の内部には、遊技の進行及び実行を制御するためのメイン制御基板を格納したメイン基板ケース４０（着脱部材）、演出の進行及び実行を制御するためのサブ制御基板を格納したサブ基板ケース４２、メイン制御基板とスロットマシン１０の各部とを接続を中継する中継基板を格納した中継基板ケース４４が収納されている。
後述するように、メイン基板ケース４０は、収納箱１１の後壁１１ａに、後述するベース部材５０を介して着脱自在に設けられている。他方、中継基板ケース４４、サブ基板ケース４２は、収納箱１１の側壁１１ｂにネジ止めされるなどして固定されている。
【００２０】
図３〜図６に示すように、収納箱１１の後壁１１ａには、ベース部材５０が固定（本例ではネジ止めされて固定）されている。ベース部材５０は、メイン基板ケース４０を、収納箱１１（すなわち、遊技機本体）に対して着脱自在に支持するために設けられ、係合部５０ａを備えている。係合部５０ａは、板状で、かつ、ベース部材５０を後壁１１ａに固定した場合に後壁１１ａから僅かに離間して配置されるように形成されている。これにより、ベース部材５０を後壁１１ａに固定した場合、後壁１１ａと係合部５０ａの間に後述する係合フック４０ａが差し込まれる差込穴６０が形成される。
【００２１】
メイン基板ケース４０の後面（背面）には、係合フック４０ａが立設されている。係合フック４０ａは、メイン基板ケース４０の後面を基端部とし、基端部から後方へ向かった後に側方（本例では右側）に垂直に屈曲した形状、すなわち、水平方向の断面がＬ字型に形成されており、先端部（屈曲した部分よりも先の部分）が差込穴６０に差し込み可能なサイズに形成されている。
【００２２】
そして、メイン基板ケース４０は、図４、図６に示すように、係合フック４０ａの先端部が、差込穴６０の側方（本例では左側）に配置された状態（ロック解除状態）では、ベース部材５０（収納箱１１（遊技機本体））への着脱が許容され、このロック解除状態から、水平方向（本例では右方向）にスライドされ、図３、図５に示すように、係合フック４０ａの先端部が差込穴６０に差し込まれてベース部材５０と係合された状態（ロック状態）では、ベース部材５０（収納箱１１（遊技機本体））への着脱が規制される。
このように、メイン基板ケース４０は、ロック解除状態を経由してロック状態へと移行されることにより、ベース部材５０（収納箱１１（遊技機本体））へと装着される。
また、メイン基板ケース４０は、ロック状態（図３、図５参照）からロック解除状態（図４、図６参照）を経由することにより（本例では左方向に水平にスライドされることにより）、ベース部材５０（収納箱１１（遊技機本体））から取り外される。
【００２３】
しかし、メイン基板ケース４０を収納箱１１から取り外すためにロック状態からロック解除状態へと移行させると、メイン基板ケース４０とベース部材５０との係合が解除されてメイン基板ケース４０が脱落（下方へ落下したり、前方へ倒れ込む）おそれがある。このため、スロットマシン１０では、ロック解除状態においてメイン基板ケース４０が脱落しないように、メイン基板ケース４０に被支持部７０を設け、また、サブ基板ケース４２に支持部７２を設けている。
【００２４】
図３において円形の指標Ｐ１で囲んだ範囲を拡大した図７、及び、図４において円形の指標Ｐ２で囲んだ範囲を拡大した図８に示すように、被支持部７０は、水平な板状で、かつ、メイン基板ケース４０の先端部（本例では、左側の端部）から突出（本例では左方に突出）するように形成されている。
一方、支持部７２は、サブ基板ケース４２の側面（本例では右側面）から被支持部７０へ向けて突出（本例では右方に突出）するように形成されており、上面が水平となっている。
【００２５】
これら被支持部７０と支持部７２とは、図７に示すように、ロック状態では離間されている。反対に、図８に示すように、ロック解除状態では、被支持部７０の下面が支持部７２の上面に当接するように構成されている。
【００２６】
これにより、ロック解除状態では、支持部７２によりメイン基板ケース４０（被支持部７０）が下方から支持されて脱落（下方への落下や前方への倒れ込み）が防止（阻止）される。
そして、このように、ロック解除状態においてメイン基板ケース４０の脱落が防止されるので、着脱を行う作業者自身がメイン基板ケース４０を支持する場合と比較して、メイン基板ケース４０の着脱が容易となる。
【００２７】
なお、本発明は、着脱部材を着脱する際に仮止め（支持）できればよいので、細部の構成は上記実施形態に限定されず適宜変更できる。
例えば、上記実施形態では、メイン基板ケース４０から突出するように被支持部７０を設ける例で説明をしたが、本発明はこれに限定されない。被支持部７０として機能させるためにメイン基板ケース４０から突出させる特別な部材（部分）を設けずに、メイン基板ケース４０の一部（下面など）を被支持部７０として機能させることも可能である。この場合、ロック解除状態において、メイン基板ケース４０の一部（下面など）が、支持部７２の少なくとも一部に当接する構成とすればよい。
【００２８】
また、上記実施形態では、支持部７２をサブ基板ケース４２に設ける例で説明をしたが、本発明はこれに限定されない。支持部７２は、着脱部材（本例では、メイン基板ケース４０）以外の部材であれば、例えば、収納箱の側壁１１ｂなど任意の部材に設けることができる。また、上記実施形態のように、部材（上記実施形態ではサブ基板ケース４２）の一部を特別に突出させることによって支持部７２として機能させる構成に限定されず、既存の部材の一部、例えば、電源ＢＯＸやサブ基板ケースの上面などを支持部７２として機能させてもよい。
【００２９】
さらに、上記実施形態では、ロック状態では支持部７２が被支持部７０の下方に位置せず、ロック解除状態でのみ支持部７２が被支持部７０の下方に位置する構成、すなわち、ロック解除状態でのみメイン基板ケース４０の脱落が防止される構成を例に説明をしたが、本発明はこれに限定されない。ロック解除状態のみならずロック状態においても支持部７２が被支持部７０の下方に位置する構成、すなわち、ロック解除状態のみならずロック状態においてもメイン基板ケース４０の脱落が防止される構成としてもよい。
【００３０】
なお、上記実施形態では、被支持部７０と支持部７２とが水平に当接（水平な面で当接）する例で説明をしたが、本発明はこれに限定されない。例えば、図９に示すように、被支持部９０と支持部９２とを傾斜面で当接させてもよい。なお、図９以降の図面を用いた説明では、上述した実施形態と同様の部材については同様の符号を付して説明を省略している。
図９は、被支持部９０が支持部９２により支持されている様子をメイン基板ケース４０の左方から観察した状態を示している。図９において、被支持部９０は、図の奥側（メイン基板ケース４０の左側面）から図の手前側（左側）へ向けて延びる板状に形成され、かつ、板面が後方へ傾けられている。また、図９において、支持部９２は、図の手前側（サブ基板ケース４２の右側面）から図の奥側（右側）へ向けて延びる板状に形成され、かつ、板面が後方へ傾けられている。
こうすることで、メイン基板ケース４０が自重により後壁１１ａへ向けて付勢されるので、メイン基板ケース４０の装着がより容易となるだけでなく、メイン基板ケース４０を取り外す際にもより確実に支持（脱落を防止）できる。
【００３１】
また、上記実施形態では、被支持部と支持部とが共に板状である例で説明をしたが、本発明はこれに限定されない。図１０、図１１に示すように、被支持部と支持部とのうち一方を棒状としてもよい。
図９と同様に、図１０は、被支持部１００が支持部１０２により支持されている様子をメイン基板ケース４０の左方から観察した状態を示している。また、図１１は、被支持部１１０が支持部１１２により支持されている様子をメイン基板ケース４０の左方から観察した状態を示している。
図１０の被支持部１００、図１１の被支持部１１０は、図の奥側（メイン基板ケース４０の左側面）から図の手前側（左側）へ向けて延び、図１０の支持部１０２、図１１の支持部１１２は、図の手前側（サブ基板ケース４２の右側面）から図の奥側（右側）へ向けて延びている。
そして、図１０では、被支持部１００と支持部１０２とのうち被支持部１００を棒状とし、図１１では、被支持部１１０と支持部１１２とのうち支持部１１２を棒状としている。もちろん、被支持部と支持部との両方を棒状としてもよいが、この場合、被支持部と支持部とが当接する部分の面積が狭くなり、被支持部と支持部とが意図通りに当接せずに（本例では前後にずれて）、メイン基板ケース４０が脱落するおそれがある。よって、被支持部と支持部とのうちの一方は板状であることが好ましい。
【００３２】
また、上記実施形態では、メイン基板ケース４０の背面に設けられた係合フック４０ａをベース部材５０に係合させることでメイン基板ケース４０が装着され、係合フック４０ａとベース部材５０との係合を解除することによりメイン基板ケース４０が取り外される例で説明をしたが、本発明はこれに限定されない。
図１２（ａ）、同図（ｂ）に示すように、メイン基板ケース４０の右側部分については凸部１２０を係合穴１２２に係合させ、メイン基板ケース４０の左側部分についてはネジ１２４により係止（ネジ止め）することで、メイン基板ケース４０が装着され、ネジ１２４を取り外して凸部１２０と係合穴１２２との係合を解除することにより、メイン基板ケース４０が取り外されるなどの構成としてもよい。
図１２（ａ）、同図（ｂ）は、メイン基板ケース４０を前方から観察した様子を示しており、図１２（ａ）、同図（ｂ）において、凸部１２０は、メイン基板ケース４０の右側面に立設されている。また、係合穴１２２は、後壁１１ａに立設された抑え部１３０の左側面に形成されている。さらに、メイン基板ケース４０の左側の端部には、メイン基板ケース４０を貫通する貫通穴１３２が形成されており（図１２（ａ）参照）、ネジ１２４は、この貫通穴１３２を貫通して後壁１１ａのネジ穴（図示せず）に螺合される（図１２（ｂ）参照）。これにより、メイン基板ケース４０の取り外しができなくなる（ロック状態となる）。
本例では、メイン基板ケース４０の下方に支持部２０２を設け、メイン基板ケース４０の下面２００を被支持部として機能させている。また、本例では、凸部１２０と係合穴１２２とが係合しているか否かによらず、支持部２０２が下面２００の下方に位置し、メイン基板ケース４０を支持する構成としている。
このような構成とすることにより、図１２（ａ）のように、ネジ１２４が取り外され、かつ、凸部１２０と係合穴１２２との係合が解除された場合だけでなく、図１２（ｂ）においてネジ１２４が取り外された場合（凸部１２０と係合穴１２２との係合は維持されているがネジ１２４による係止が解除された場合）であっても、メイン基板ケース４０の脱落を防止できる。
なお、本例では、メイン基板ケース４０をネジ止めする例で説明をしたが、例えば、メイン基板ケース４０の前面側から貫通穴１３２を介して後壁１１ａまで到達する棒状の本体部を有する係止部材（ロックピンなど）を用いてメイン基板ケース４０を係止してもよい。
また、本例では、凸部や係合穴をメイン基板ケース４０の右側に設け、凸部を係合穴に係合することによりメイン基板ケース４０の右側部分を支持する例で説明をしたが、本発明はこれに限定されない。凸部や係合穴をメイン基板ケース４０の左側や下側など右側以外の部分に設け、凸部を係合穴に係合することによりメイン基板ケース４０の左側や下側など右側以外の部分を支持する構成としてもよい。
同様に、本例では、貫通穴をメイン基板ケース４０の左側に設け、この貫通穴を貫通するネジや係止部材などによりメイン基板ケース４０の左側部分を支持（係止）する例で説明をしたが、本発明はこれに限定されない。貫通穴をメイン基板ケース４０の右側や上側など左側以外の部分に設け、この貫通穴を貫通するネジや係止部材などによりメイン基板ケース４０の右側や上側など左側以外の部分を係止する構成としてもよい。
【００３３】
さらに、上記実施形態では、着脱部材がメイン基板ケースである例で説明をしたが、着脱部材はメイン基板ケースに限定されず、スロットマシンに対して着脱される部材であれば任意の部材を着脱部材としてよい。
【００３４】
また、上記実施形態では、遊技機としてスロットマシンに本発明を適用する例で説明をしたが、スロットマシン以外の遊技機（例えば、パチンコ機）に本発明を適用してもよい。
【符号の説明】
【００３５】
１０  スロットマシン（遊技機）
１１  収納箱（遊技機本体）
１１ａ  後壁
１１ｂ  側壁
１２  前面扉（遊技機本体）
１４  ホッパ装置
３０  オーバーフロータンク
３２  電源ＢＯＸ
４０  メイン基板ケース（着脱部材）
４０ａ  係合フック
４２  サブ基板ケース
４４  中継基板ケース
５０  ベース部材
５０ａ  係合部
６０  差込穴
７０、９０、１００、１１０  被支持部
７２、９２、１０２、１１２、２０２  支持部
１２０  凸部
１２２  係合穴
１２４  ネジ
２００  下面（被支持部）
【図１】
2020025721.tif 000003
【図２】
2020025721.tif 000004
【図３】
2020025721.tif 000005
【図４】
2020025721.tif 000006
【図５】
2020025721.tif 000007
【図６】
2020025721.tif 000008
【図７】
2020025721.tif 000009
【図８】
2020025721.tif 000010
【図９】
2020025721.tif 000011
【図１０】
2020025721.tif 000012
【図１１】
2020025721.tif 000013
【図１２】
2020025721.tif 000014